(57)【要約】      （修正有）【課題】折れ癖を矯正すべき紙葉類に元々形成されている折れ癖の向きに関わりなく紙葉類に付けられた折れ癖を確実に矯正することができ、しかも折れ癖形成ローラにより紙葉類に付けられた折れ癖が最終的に強く残ってしまうことを防止することができる紙葉類処理機構および紙葉類処理方法を提供する。【解決手段】紙葉類処理機構は、少なくとも一対のローラ（ローラ対３０、４０）を備え、一対のローラは、折れ癖形成ローラ３２、４２および受けローラ３４、４４からなり、折れ癖形成ローラ３２、４２は、紙葉類に、当該紙葉類の送り方向に対して傾斜した第１の折れ癖と、第１の折れ癖と交差する第２の折れ癖とを形成するよう、その外周面に押圧部３２ａ、４２ａを有している。受けローラ３４、４４は、その外周面に弾性体が設けられているとともに折れ癖形成ローラ３２、４２に向かって押圧されるよう構成されている。【選択図】図２
2014089541.tif 000002
【特許請求の範囲】
【請求項１】
紙葉類の折れ癖を矯正するための紙葉類処理機構であって、
少なくとも一対のローラを備え、
前記一対のローラは、折れ癖形成ローラおよび受けローラからなり、
前記折れ癖形成ローラは、紙葉類に、当該紙葉類の送り方向に対して傾斜した第１の折れ癖と、前記第１の折れ癖と交差する第２の折れ癖とを形成するよう、その外周面に押圧部を有しており、
前記受けローラは、その外周面に弾性体が設けられているとともに前記折れ癖形成ローラに向かって押圧されるよう構成されている、紙葉類処理機構。
【請求項２】
前記折れ癖形成ローラは、紙葉類に網目状の折れ癖を形成するよう構成されている、請求項１記載の紙葉類処理機構。
【請求項３】
前記紙葉類処理機構は少なくとも二対のローラを備えており、
紙葉類の一方の面のみに前記二対のローラにおける各々の折れ癖形成ローラが接触するようになっており、前記二対のローラにおける各々の折れ癖形成ローラの押圧部は、互いに逆方向に巻く螺旋形状となっており、一方の折れ癖形成ローラにより紙葉類に前記第１の折れ癖が形成されるとともに他方の折れ癖形成ローラにより紙葉類に前記第２の折れ癖が形成されるようになっている、請求項１または２記載の紙葉類処理機構。
【請求項４】
前記紙葉類処理機構は少なくとも二対のローラを備えており、
紙葉類の一方の面に前記二対のローラにおける一方の折れ癖形成ローラが接触するとともに紙葉類の他方の面に前記二対のローラにおける他方の折れ癖形成ローラが接触するようになっており、前記二対のローラにおける各々の折れ癖形成ローラの押圧部は、同方向に巻く螺旋形状となっており、一方の折れ癖形成ローラにより紙葉類に前記第１の折れ癖が形成されるとともに他方の折れ癖形成ローラにより紙葉類に前記第２の折れ癖が形成されるようになっている、請求項１または２記載の紙葉類処理機構。
【請求項５】
前記折れ癖形成ローラの外周面に形成された押圧部は、複数の多角形の凸部分を含んでいる、請求項１または２記載の紙葉類処理機構。
【請求項６】
前記凸部分は菱形形状である、請求項５記載の紙葉類処理機構。
【請求項７】
紙葉類の折れ癖を矯正するための紙葉類処理方法であって、
少なくとも一対のローラであって、前記一対のローラは、折れ癖形成ローラおよび受けローラからなり、前記受けローラは、その外周面に弾性体が設けられているとともに前記折れ癖形成ローラに向かって押圧されるよう構成されている、少なくとも一対のローラを準備する工程と、
前記一対のローラにおける折れ癖形成ローラおよび受けローラの間に紙葉類を通し、紙葉類に、当該紙葉類の送り方向に対して傾斜した第１の折れ癖と、前記第１の折れ癖と交差する第２の折れ癖とを形成する工程と、
を備えた、紙葉類処理方法。
【発明の詳細な説明】
【技術分野】
【０００１】
本発明は、紙幣等の紙葉類の折れ癖を矯正するための紙葉類処理機構および紙葉類処理方法に関する。
【背景技術】
【０００２】
従来から、紙幣等の紙葉類に付けられた折れ癖、シワ、カール癖等を矯正するための装置として、様々なタイプのものが知られている。例えば、折れ癖形成ローラおよび受けローラからなる一対のローラの間に紙葉類を通すことにより、紙葉類に付けられた折れ癖、シワ、カール癖等を矯正する方法が従来から用いられている。ここで、受けローラは、その外周面に弾性体が設けられており、折れ癖形成ローラに向かって押圧されるよう構成されている。また、従来では、折れ癖形成ローラは、当該折れ癖形成ローラおよび受けローラの間に紙葉類が送られたときに、この紙葉類に、当該紙葉類の送り方向に対して平行な折れ癖または紙葉類の送り方向に直交する折れ癖を付けるようになっている。このように、折れ癖形成ローラおよび受けローラの間に紙葉類を通すことにより、当該紙葉類をしごくとともに新たな折れ癖を形成することにより、紙葉類に元々付けられている折れ癖、シワ、カール癖等を矯正することができるようになる。
【０００３】
しかしながら、このような従来の折れ癖形成ローラでは、紙葉類に、当該紙葉類の送り方向に対して平行な折れ癖または当該紙葉類の送り方向に直交する折れ癖を付けるようになっているため、特定の方向に折れ癖が形成されている紙葉類でないと、紙葉類に付けられた折れ癖を矯正することができないという問題があった。すなわち、折れ癖形成ローラが、例えば紙葉類の送り方向に対して平行な折れ癖を当該紙葉類に付けるようになっている場合には、紙葉類の送り方向に直交する折れ癖が紙葉類に形成されているときでないと、紙葉類の折れ癖を矯正することができなかった。また、上述のような折れ癖形成ローラでは、当該折れ癖形成ローラにより紙葉類に付けられた折れ癖が最終的に強く残ってしまうという問題があった。
【０００４】
また、紙葉類に、当該紙葉類の送り方向に対して傾斜した折れ癖を付けるような折れ癖形成ローラを用いた場合でも、折れ癖形成ローラにより付けられる折れ癖が一方向のみである場合には、折れ癖形成ローラにより紙葉類に付けられた斜め方向の折れ癖が最終的に強く残ってしまうという問題がある。
【０００５】
また、特許文献１には、加熱ローラにより紙葉類の折れ癖を矯正する装置が開示されている。しかしながら、特許文献１の図２に示す右ねじローラや左ねじローラでは紙葉類に一方向の折れ癖しか付かないため、これも上述するように全ての折れ癖を矯正することができないといった問題があった。また、加熱ローラを用いた場合にはコストが高くなってしまうという問題がある。また、米国紙幣等の海外紙幣の折れ癖を矯正しようとすると、加熱ローラに接触した紙幣が熱膨張してしまい、この紙幣が所定のサイズよりも大きくなってしまうという問題がある。
【先行技術文献】
【特許文献】
【０００６】
【特許文献１】特開平１０−３２０６０８号公報
【発明の概要】
【発明が解決しようとする課題】
【０００７】
本発明は、このような点を考慮してなされたものであり、紙葉類の折れ癖を矯正する際に、一対または各対のローラにおける折れ癖形成ローラおよび受けローラの間に紙葉類を通し、このことにより、紙葉類に、当該紙葉類の送り方向に対して傾斜した第１の折れ癖と、第１の折れ癖と交差する第２の折れ癖とを形成することによって、折れ癖を矯正すべき紙葉類に元々形成されている折れ癖の向きに関わりなく紙葉類に付けられた折れ癖を確実に矯正することができ、しかも折れ癖形成ローラにより紙葉類に付けられた折れ癖が最終的に強く残ってしまうことを防止することができる紙葉類処理機構および紙葉類処理方法を提供することを目的とする。
【課題を解決するための手段】
【０００８】
本発明の紙葉類処理機構は、紙葉類の折れ癖を矯正するための紙葉類処理機構であって、少なくとも一対のローラを備え、前記一対のローラは、折れ癖形成ローラおよび受けローラからなり、前記折れ癖形成ローラは、紙葉類に、当該紙葉類の送り方向に対して傾斜した第１の折れ癖と、前記第１の折れ癖と交差する第２の折れ癖とを形成するよう、その外周面に押圧部を有しており、前記受けローラは、その外周面に弾性体が設けられているとともに前記折れ癖形成ローラに向かって押圧されるよう構成されている。
【０００９】
このような紙葉類処理機構によれば、少なくとも一対のローラの折れ癖形成ローラにより、紙葉類に、当該紙葉類の送り方向に対して傾斜した第１の折れ癖と、第１の折れ癖と交差する第２の折れ癖とが形成されるため、紙葉類処理機構により折れ癖が矯正されるべき紙葉類に元々形成されている折れ癖の向きに関わりなく、折れ癖形成ローラによって、紙葉類に付けられた折れ癖を確実に矯正することができる。また、このような紙葉類処理機構によれば、折れ癖形成ローラによって紙葉類に付けられる折れ癖が二方向であるため、第１の折れ癖が第２の折れ癖により和らげられるようになり、折れ癖形成ローラにより紙葉類に付けられた折れ癖が最終的に強く残ってしまうことはない。
【００１０】
本発明の紙葉類処理機構においては、前記折れ癖形成ローラは、紙葉類に網目状の折れ癖を形成するよう構成されていてもよい。
【００１１】
本発明の紙葉類処理機構においては、前記紙葉類処理機構は少なくとも二対のローラを備えており、紙葉類の一方の面のみに前記二対のローラにおける各々の折れ癖形成ローラが接触するようになっており、前記二対のローラにおける各々の折れ癖形成ローラの押圧部は、互いに逆方向に巻く螺旋形状となっており、一方の折れ癖形成ローラにより紙葉類に前記第１の折れ癖が形成されるとともに他方の折れ癖形成ローラにより紙葉類に前記第２の折れ癖が形成されるようになっていてもよい。
【００１２】
あるいは、前記紙葉類処理機構は少なくとも二対のローラを備えており、紙葉類の一方の面に前記二対のローラにおける一方の折れ癖形成ローラが接触するとともに紙葉類の他方の面に前記二対のローラにおける他方の折れ癖形成ローラが接触するようになっており、前記二対のローラにおける各々の折れ癖形成ローラの押圧部は、同方向に巻く螺旋形状となっており、一方の折れ癖形成ローラにより紙葉類に前記第１の折れ癖が形成されるとともに他方の折れ癖形成ローラにより紙葉類に前記第２の折れ癖が形成されるようになっていてもよい。
【００１３】
あるいは、前記折れ癖形成ローラの外周面に形成された押圧部は、複数の多角形の凸部分を含んでいてもよい。
【００１４】
この際に、前記凸部分は菱形形状であってもよい。
【００１５】
本発明の紙葉類処理方法は、紙葉類の折れ癖を矯正するための紙葉類処理方法であって、少なくとも一対のローラであって、前記一対のローラは、折れ癖形成ローラおよび受けローラからなり、前記受けローラは、その外周面に弾性体が設けられているとともに前記折れ癖形成ローラに向かって押圧されるよう構成されている、少なくとも一対のローラを準備する工程と、前記一対のローラにおける折れ癖形成ローラおよび受けローラの間に紙葉類を通し、紙葉類に、当該紙葉類の送り方向に対して傾斜した第１の折れ癖と、前記第１の折れ癖と交差する第２の折れ癖とを形成する工程と、を備えている。
【００１６】
このような紙葉類処理方法によれば、少なくとも一対のローラの折れ癖形成ローラにより、紙葉類に、当該紙葉類の送り方向に対して傾斜した第１の折れ癖と、第１の折れ癖と交差する第２の折れ癖とが形成されるため、折れ癖が矯正されるべき紙葉類に元々形成されている折れ癖の向きに関わりなく、折れ癖形成ローラによって、紙葉類に付けられた折れ癖を確実に矯正することができる。また、このような紙葉類処理方法によれば、折れ癖形成ローラによって紙葉類に付けられる折れ癖が二方向であるため、第１の折れ癖が第２の折れ癖により和らげられるようになり、折れ癖形成ローラにより紙葉類に付けられた折れ癖が最終的に強く残ってしまうことはない。
【発明の効果】
【００１７】
本発明の紙葉類処理機構および紙葉類処理方法によれば、折れ癖を矯正すべき紙葉類に元々形成されている折れ癖の向きに関わりなく紙葉類に付けられた折れ癖を確実に矯正することができ、しかも折れ癖形成ローラにより紙葉類に付けられた折れ癖が最終的に強く残ってしまうことを防止することができる。
【図面の簡単な説明】
【００１８】
【図１】本発明の実施の形態による紙幣折れ癖矯正装置の概略的な構成を示す構成図である。
【図２】（ａ）は、図１に示す紙幣折れ癖矯正装置における折れ癖矯正用の第１のローラ対および第２のローラ対を軸方向から見たときの構成図であり、（ｂ）は、（ａ）に示す第１のローラ対および第２のローラ対のＡ−Ａ矢視による上面図である。
【図３】図２に示す第１のローラ対および第２のローラ対の斜視図である。
【図４】（ａ）は、変形例に係る紙幣折れ癖矯正装置における折れ癖矯正用の第１のローラ対および第２のローラ対を軸方向から見たときの構成図であり、（ｂ）は、（ａ）に示す第１のローラ対および第２のローラ対のＢ−Ｂ矢視による上面図である。
【図５】更なる変形例に係る紙幣折れ癖矯正装置における折れ癖矯正用のローラ対の斜視図である。
【発明を実施するための形態】
【００１９】
以下、図面を参照して本発明の実施の形態について説明する。本実施の形態では、紙葉類の折れ癖を矯正するための紙葉類処理機構として、紙幣の折れ癖を矯正する機能を有する紙幣折れ癖矯正装置を例に挙げて説明する。図１乃至図３は、本実施の形態に係る紙幣折れ癖矯正装置を示す図である。このうち、図１は、本実施の形態による紙幣折れ癖矯正装置の概略的な構成を示す全体構成図である。また、図２（ａ）は、図１に示す紙幣折れ癖矯正装置における折れ癖矯正用の第１のローラ対および第２のローラ対を軸方向から見たときの構成図であり、図２（ｂ）は、図２（ａ）に示す第１のローラ対および第２のローラ対のＡ−Ａ矢視による上面図である。また、図３は、図２に示す第１のローラ対および第２のローラ対の斜視図である。
【００２０】
図１に示すように、本実施の形態による紙幣折れ癖矯正装置１０は、略直方体形状のものからなり、この紙幣折れ癖矯正装置１０には、折れ癖、シワ、カール癖等が付けられた紙幣を投入するための紙幣挿入口１２、および折れ癖等が矯正された紙幣を排出するための紙幣排出口１４がそれぞれ設けられている。また、紙幣折れ癖矯正装置１０の機体内には一対のガイド部材１６が設けられており、紙幣挿入口１２により機体内に挿入された紙幣は一対のガイド部材１６の間で図１における二点鎖線で示す経路に沿って紙幣排出口１４まで搬送されるようになっている。
【００２１】
図１に示すように、紙幣折れ癖矯正装置１０の機体内において紙幣挿入口１２の近傍には第１の搬送ローラ２０が設置されており、この第１の搬送ローラ２０に対向するよう２つのピンチローラ２２、２４が設けられている。ここで、第１の搬送ローラ２０および各ピンチローラ２２、２４の外周面にはそれぞれゴム部材等の弾性体が全周にわたって設けられており、各ピンチローラ２２、２４はそれぞれ第１の搬送ローラ２０に向かって押圧されるよう設置されている。また、第１の搬送ローラ２０および各ピンチローラ２２、２４は図１における矢印方向にそれぞれ回転するようになっている。このことにより、紙幣挿入口１２により紙幣折れ癖矯正装置１０の機体内に挿入された紙幣は、第１の搬送ローラ２０とピンチローラ２２の間、および第１の搬送ローラ２０とピンチローラ２４の間を順に通るよう、第１の搬送ローラ２０の外周面に沿って搬送されるようになる。
【００２２】
また、紙幣折れ癖矯正装置１０の機体内において紙幣排出口１４の近傍には第２の搬送ローラ５０が設置されており、この第２の搬送ローラ５０に対向するようピンチローラ５２が設けられている。ここで、第２の搬送ローラ５０およびピンチローラ５２の外周面にはそれぞれゴム部材等の弾性体が全周にわたって設けられており、ピンチローラ５２は第２の搬送ローラ５０に向かって押圧されるよう設置されている。また、第２の搬送ローラ５０およびピンチローラ５２は図１における矢印方向にそれぞれ回転するようになっている。このことにより、後述する第１のローラ対３０および第２のローラ対４０を通過して第２の搬送ローラ５０に送られた紙幣は、第２の搬送ローラ５０とピンチローラ５２の間を通るよう搬送され、最終的に紙幣排出口１４から排出されるようになる。
【００２３】
図１に示すように、紙幣折れ癖矯正装置１０の機体内において第１の搬送ローラ２０および第２の搬送ローラ５０の間には第１のローラ対３０および第２のローラ対４０が直列に並ぶよう設置されている。これらの第１のローラ対３０および第２のローラ対４０の構成の詳細について図２および図３を用いて説明する。なお、図２（ｂ）における第１のローラ対３０および第２のローラ対４０の右側にある紙幣に付けられた点線は、第１のローラ対３０および第２のローラ対４０によりそれぞれこの紙幣に形成された折れ癖を示すラインである。
【００２４】
図２等に示すように、第１のローラ対３０は、折れ癖形成ローラ３２および受けローラ３４から構成されている。図２（ｂ）および図３に示すように、折れ癖形成ローラ３２の外周面には螺旋形状の突起部３２ａが形成されている。また、折れ癖形成ローラ３２の長手方向の長さは、当該折れ癖形成ローラ３２に送られるべき紙幣の幅方向の長さ（図２（ｂ）における上下方向の長さ）よりも短くなっており、この折れ癖形成ローラ３２は紙幣の全面ではなく一部分のみの表面に接触するようになっている。また、折れ癖形成ローラ３２は軸３３により枢支されており、この軸３３に設けられた駆動モータ（図示せず）により折れ癖形成ローラ３２は図２（ａ）における矢印方向に回転させられるようになっている。なお、軸３３に駆動モータを設置する代わりに、操作者が手動で軸３３を回転させることにより折れ癖形成ローラ３２を図２（ａ）における矢印方向に回転させるようになっていてもよい。また、受けローラ３４の外周面には、ゴム部材等の弾性体が設けられており、この受けローラ３４は折れ癖形成ローラ３２に向かって押圧されるようになっている。このことにより、第１のローラ対３０における折れ癖形成ローラ３２および受けローラ３４の間を紙幣が通過すると、この紙幣には、当該紙幣の送り方向（図２（ｂ）における右方向）に対して傾斜した折れ癖が形成されるようになる。このように、折れ癖形成ローラ３２の突起部３２ａは、紙幣に対して当該紙幣の送り方向に対して傾斜した折れ癖を形成するための押圧部として構成されるようになっている。以上のように、折れ癖形成ローラ３２および受けローラ３４の間で紙幣を通過させることにより、この紙幣をしごくとともに新たな折れ癖を形成することによって、紙幣に元々付けられている折れ癖、シワ、カール癖等を矯正することができるようになる。
【００２５】
また、図２等に示すように、第２のローラ対４０は、折れ癖形成ローラ４２および受けローラ４４から構成されている。ここで、紙幣の一方の面（具体的には、図２（ａ）における上側の面）に第１のローラ対３０の折れ癖形成ローラ３２が接触するとともに紙幣の他方の面（具体的には、図２（ａ）における下側の面）に第２のローラ対４０の折れ癖形成ローラ４２が接触するよう、折れ癖形成ローラ４２は折れ癖形成ローラ３２に対して紙幣を挟んで反対側の位置に設けられている。また、図２（ｂ）および図３に示すように、折れ癖形成ローラ４２の外周面には螺旋形状の突起部４２ａが形成されている。ここで、折れ癖形成ローラ４２の突起部４２ａの螺旋形状は、折れ癖形成ローラ３２の突起部３２ａの螺旋形状と同方向に巻くようになっている。また、折れ癖形成ローラ４２の長手方向の長さは、当該折れ癖形成ローラ４２に送られるべき紙幣の幅方向の長さ（図２（ｂ）における上下方向の長さ）よりも短くなっており、この折れ癖形成ローラ４２は紙幣の全面ではなく一部分のみの表面に接触するようになっている。また、折れ癖形成ローラ４２は軸４３により枢支されており、この軸４３に設けられた駆動モータ（図示せず）により折れ癖形成ローラ４２は図２（ａ）における矢印方向に回転させられるようになっている。なお、軸４３に駆動モータを設置する代わりに、操作者が手動で軸４３を回転させることにより折れ癖形成ローラ４２を図２（ａ）における矢印方向に回転させるようになっていてもよい。また、受けローラ４４の外周面には、ゴム部材等の弾性体が設けられており、この受けローラ４４は折れ癖形成ローラ４２に向かって押圧されるようになっている。このことにより、第２のローラ対４０における折れ癖形成ローラ４２および受けローラ４４の間を紙幣が通過すると、この紙幣には、当該紙幣の送り方向（図２（ｂ）における右方向）に対して傾斜した折れ癖が形成されるようになる。このように、折れ癖形成ローラ４２の突起部４２ａは、紙幣に対して当該紙幣の送り方向に対して傾斜した折れ癖を形成するための押圧部として構成されるようになっている。
【００２６】
なお、図２（ａ）に示すように、折れ癖形成ローラ４２は折れ癖形成ローラ３２に対して紙幣を挟んで反対側の位置に設けられているとともに、折れ癖形成ローラ４２の突起部４２ａの螺旋形状が折れ癖形成ローラ３２の突起部３２ａの螺旋形状と同方向に巻いているため、第１のローラ対３０の折れ癖形成ローラ３２により形成される折れ癖と、第２のローラ対４０の折れ癖形成ローラ４２により形成される折れ癖とが交差してあたかも網目状のようになる（図２（ｂ）における第１のローラ対３０および第２のローラ対４０の右側にある紙幣に付けられた網目状の点線を参照のこと）。
【００２７】
このように、本実施の形態の紙幣折れ癖矯正装置１０によれば、第１のローラ対３０の折れ癖形成ローラ３２により、紙幣に、当該紙幣の送り方向に対して傾斜した第１の折れ癖（具体的には、図２（ｂ）における第１のローラ対３０および第２のローラ対４０の右側にある紙幣に付けられた、右下方向に延びる折れ癖）が形成され、また、第２のローラ対４０の折れ癖形成ローラ４２により、紙幣に、第１の折れ癖と交差する第２の折れ癖（具体的には、図２（ｂ）における第１のローラ対３０および第２のローラ対４０の右側にある紙幣に付けられた、左下方向に延びる折れ癖）が形成される。このことにより、紙幣挿入口１２に挿入された紙幣に元々形成されている折れ癖の向きに関わりなく、折れ癖形成ローラ３２および折れ癖形成ローラ４２によって、紙幣に付けられた折れ癖を確実に矯正することができる。また、本実施の形態の紙幣折れ癖矯正装置１０によれば、折れ癖形成ローラ３２および折れ癖形成ローラ４２によって紙幣に付けられる折れ癖が二方向であるため、折れ癖形成ローラ３２により紙幣に付けられた折れ癖が折れ癖形成ローラ４２の突起部４２ａにより和らげられるようになり、折れ癖形成ローラ３２および折れ癖形成ローラ４２により紙幣に付けられた斜め方向の折れ癖が最終的に強く残ってしまうことはない。
【００２８】
また、折れ癖形成ローラ３２および折れ癖形成ローラ４２がそれぞれ紙幣の全面ではなく一部分のみの表面に接触するようになっているため、折れ癖形成ローラ３２および折れ癖形成ローラ４２がそれぞれ紙幣の全面に接触する場合と比較して、突起部３２ａや突起部４２ａにより紙幣にかかる圧力をより大きくすることができ、紙幣に元々形成されている折れ癖をより確実に矯正することができるようになる。
【００２９】
なお、本実施の形態による紙幣折れ癖矯正装置は、上述したような態様に限定されることはなく、様々な変更を加えることができる。例えば、第１のローラ対３０および第２のローラ対４０における折れ癖形成ローラ３２および折れ癖形成ローラ４２の設置位置は、図２に示すようなものに限定されることはない。図４に、変形例に係る紙幣折れ癖矯正装置における折れ癖矯正用の第１のローラ対３０および第２のローラ対４０の構成を示す。ここで、図４（ａ）は、変形例に係る紙幣折れ癖矯正装置における第１のローラ対３０および第２のローラ対４０を軸方向から見たときの構成図であり、図４（ｂ）は、図４（ａ）に示す第１のローラ対３０および第２のローラ対４０のＢ−Ｂ矢視による上面図である。
【００３０】
図４に示すように、変形例に係る紙幣折れ癖矯正装置は、図２に示すような紙幣折れ癖矯正装置１０と比較して、第２のローラ対４０における折れ癖形成ローラ４２および受けローラ４４の位置が逆となっている。すなわち、図４（ａ）に示すように、紙幣の一方の面のみに第１のローラ対３０の折れ癖形成ローラ３２および第２のローラ対４０の折れ癖形成ローラ４２がそれぞれ接触するようになっている。また、変形例に係る紙幣折れ癖矯正装置では、図４（ｂ）に示すように、折れ癖形成ローラ４２の突起部４２ａの螺旋形状は、折れ癖形成ローラ３２の突起部３２ａの螺旋形状と逆方向に巻くようになっている。
【００３１】
このように、図４に示すような変形例に係る紙幣折れ癖矯正装置では、第１のローラ対３０および第２のローラ対４０を通過する紙幣に対して折れ癖形成ローラ３２および折れ癖形成ローラ４２が同じ側の位置に設けられているとともに、折れ癖形成ローラ４２の突起部４２ａの螺旋形状が折れ癖形成ローラ３２の突起部３２ａの螺旋形状と逆方向に巻いているため、第１のローラ対３０の折れ癖形成ローラ３２により形成される折れ癖と、第２のローラ対４０の折れ癖形成ローラ４２により形成される折れ癖とが交差してあたかも網目状のようになる（図４（ｂ）における第１のローラ対３０および第２のローラ対４０の右側にある紙幣に付けられた網目状の点線を参照のこと）。
【００３２】
このように、図４に示すような変形例に係る紙幣折れ癖矯正装置によれば、図２および図３に示すような紙幣折れ癖矯正装置１０と同様に、第１のローラ対３０の折れ癖形成ローラ３２により、紙幣に、当該紙幣の送り方向に対して傾斜した第１の折れ癖（具体的には、図４（ｂ）における第１のローラ対３０および第２のローラ対４０の右側にある紙幣に付けられた、右下方向に延びる折れ癖）が形成され、また、第２のローラ対４０の折れ癖形成ローラ４２により、紙幣に、第１の折れ癖と交差する第２の折れ癖（具体的には、図４（ｂ）における第１のローラ対３０および第２のローラ対４０の右側にある紙幣に付けられた、左下方向に延びる折れ癖）が形成される。このことにより、紙幣挿入口１２に挿入された紙幣に元々形成されている折れ癖の向きに関わりなく、折れ癖形成ローラ３２および折れ癖形成ローラ４２によって、紙幣に付けられた折れ癖を確実に矯正することができる。また、図４に示すような変形例に係る紙幣折れ癖矯正装置でも、折れ癖形成ローラ３２および折れ癖形成ローラ４２によって紙幣に付けられる折れ癖が二方向であるため、折れ癖形成ローラ３２により紙幣に付けられた折れ癖が折れ癖形成ローラ４２の突起部４２ａにより和らげられるようになり、折れ癖形成ローラ３２および折れ癖形成ローラ４２により紙幣に付けられた斜め方向の折れ癖が最終的に強く残ってしまうことはない。
【００３３】
また、図４に示すような変形例に係る紙幣折れ癖矯正装置でも、折れ癖形成ローラ３２および折れ癖形成ローラ４２がそれぞれ紙幣の全面ではなく一部分のみの表面に接触するようになっているため、折れ癖形成ローラ３２および折れ癖形成ローラ４２がそれぞれ紙幣の全面に接触する場合と比較して、突起部３２ａや突起部４２ａにより紙幣にかかる圧力をより大きくすることができ、紙幣に元々形成されている折れ癖をより確実に矯正することができるようになる。
【００３４】
なお、図２や図４に示すような紙幣折れ癖矯正装置では、一方の折れ癖形成ローラ３２により紙幣に形成される折れ癖、および他方の折れ癖形成ローラ４２により紙幣に形成される折れ癖はそれぞれ紙幣の送り方向（図２（ｂ）等における右方向）に対して傾斜しているが、このような態様に限られることはない。すなわち、２つの折れ癖形成ローラ３２、４２のうちどちらかの折れ癖形成ローラ（例えば、折れ癖形成ローラ３２）により紙幣に形成される折れ癖が紙幣の送り方向に対して傾斜していれば、他方の折れ癖形成ローラにより紙幣に形成される折れ癖が紙幣の送り方向と平行であったりあるいは紙幣の送り方向に対して直交していたりしてもよい。この場合でも、少なくとも一つの折れ癖形成ローラにより紙幣に形成される折れ癖が紙幣の送り方向に対して傾斜しているため、紙幣挿入口１２に挿入された紙幣に元々形成されている折れ癖の向きに関わりなく、この折れ癖形成ローラによって、紙幣に付けられた折れ癖を確実に矯正することができる。
【００３５】
また、本発明による紙幣折れ癖矯正装置の更に他の例として、折れ癖形成ローラおよび受けローラからなるローラ対が１つのみ設けられた構成とすることもできる。図５に、更なる変形例に係る紙幣折れ癖矯正装置における折れ癖形成ローラおよび受けローラの構成を示す。
【００３６】
図５に示すように、更なる変形例に係る紙幣折れ癖矯正装置では、折れ癖形成ローラ６２および受けローラ６４からなるローラ対６０が１つだけ設けられている。また、折れ癖形成ローラ６２の外周面には複数の多角形の凸部分が設けられている。具体的には、折れ癖形成ローラ６２の外周面に形成される複数の多角形の凸部分は、それぞれ菱形形状の突起部６２ａから構成されている。図５において、隣り合う２つの突起部６２ａの間には溝が形成されている。また、受けローラ６４の外周面には、ゴム部材等の弾性体が設けられており、この受けローラ６４は折れ癖形成ローラ６２に向かって押圧されるようになっている。このことにより、更なる変形例に係る紙幣折れ癖矯正装置のローラ対６０における折れ癖形成ローラ６２および受けローラ６４の間を紙幣が通過すると、この紙幣には、複数の菱形形状の突起部６２ａの形状に沿った折れ癖が形成されるようになる。すなわち、ローラ対６０を通過した紙幣には、折れ癖形成ローラ６２の外周面に形成された突起部６２ａにより、網目状の折れ癖が形成されるようになる。
【００３７】
このように、図５に示すような更なる変形例に係る紙幣折れ癖矯正装置によれば、ローラ対６０の折れ癖形成ローラ６２により、紙幣に網目状の折れ目が形成されるため、紙幣挿入口１２に挿入された紙幣に元々形成されている折れ癖の向きに関わりなく、折れ癖形成ローラ６２によって、紙幣に付けられた折れ癖を確実に矯正することができる。また、図５に示すような変形例に係る紙幣折れ癖矯正装置でも、折れ癖形成ローラ６２によって紙幣に付けられる折れ癖が網目状の二方向であるため、折れ癖形成ローラ６２により紙幣に付けられた斜め方向の折れ癖が最終的に強く残ってしまうことはない。
【００３８】
なお、図５に示すような更なる変形例に係る紙幣折れ癖矯正装置において、折れ癖形成ローラおよび受けローラからなるローラ対が１つだけ設けられている場合に、折れ癖形成ローラの外周面に形成される複数の凸部分は、菱形形状のような多角形のものに限定されることはない。折れ癖形成ローラの外周面に形成される複数の凸部分として、円形状や楕円形状のものが用いられるようになっていてもよい。
【００３９】
本発明による、紙葉類の折れ癖を矯正するための紙葉類処理機構は、図１乃至図５に示すような、紙幣の折れ癖を矯正する機能を有する紙幣折れ癖矯正装置に限定されることはない。本発明の紙葉類処理機構として、紙幣以外の紙葉類（例えば、小切手や商品券等）の折れ癖を矯正するようなものを用いてもよい。
【符号の説明】
【００４０】
１０  紙幣折れ癖矯正装置
１２  紙幣挿入口
１４  紙幣排出口
１６  ガイド部材
２０  第１の搬送ローラ
２２  ピンチローラ
２４  ピンチローラ
３０  第１のローラ対
３２  折れ癖形成ローラ
３２ａ  突起部
３３  軸
３４  受けローラ
４０  第２のローラ対
４２  折れ癖形成ローラ
４２ａ  突起部
４３  軸
４４  受けローラ
５０  第２の搬送ローラ
５２  ピンチローラ
６０  ローラ対
６２  折れ癖形成ローラ
６２ａ  突起部
６４  受けローラ
【図１】
2014089541.tif 000003
【図２】
2014089541.tif 000004
【図３】
2014089541.tif 000005
【図４】
2014089541.tif 000006
【図５】
2014089541.tif 000007